(57)【要約】      （修正有）【課題】住宅の壁面などに受納及び引き出し可能な埋め込み型ディスプレー装置を提供する。【解決手段】本発明に係る埋め込み型ディスプレー装置は、埋め込みを可能にする収納部と、前記収納部に受納及び引き出されるディスプレー部と；前記収納部とディスプレー部に固設されて前記ディスプレー部の受納及び引き出し、視野角の調節を可能にする複数のヒンジ部を有するヒンジ組立体と、前記複数のヒンジ部を回動させるそれぞれの駆動部と、駆動命令によって前記各駆動部を制御する駆動制御部を含む制御部とを含む。したがって、ディスプレー部の収納や引き出し、及び視野角の調節を可能にする複数のヒンジ部を駆動部により自動で駆動させることができるので、使用者の便利性を高めることができる。【選択図】図１１
2007202131.tif 000002
【特許請求の範囲】
【請求項１】
埋め込み型ディスプレー装置において、
埋め込みを可能にする収納部と；
前記収納部に受納及び引き出されるディスプレー部と；
前記収納部とディスプレー部に固設されて前記ディスプレー部の受納及び引き出し、視野角の調節を可能にする複数のヒンジ部を有するヒンジ組立体と；
前記複数のヒンジ部を回動させるそれぞれの駆動部と；
駆動命令によって前記各駆動部を制御する駆動制御部を含む制御部と；を含むことを特徴とする埋め込み型ディスプレー装置。
【請求項２】
前記ヒンジ組立体は、前記ディスプレー部の後面に固設される第１固定ブラケットと、前記収納部の前面に固設される第２固定ブラケットと、前記第１固定ブラケットにヒンジ結合される第１回動部と、一端が前記第１回動部にヒンジ結合され他端が前記第２固定ブラケットにヒンジ結合されており、前記ディスプレー部が前記収納部内に受納された状態で前記第１回動部を受容する収容溝が形成された第２回動部と、を備えることを特徴とする請求項１に記載の埋め込み型ディスプレー装置。
【請求項３】
前記駆動部は、前記第１固定ブラケットに隣接した部位の前記第１回動部に設けられるもので第１駆動歯車が軸結合された第１モーターと、前記第１固定ブラケットの回動中心に設けられるもので前記第１駆動歯車と噛合する第１固定歯車と、前記第２回動部に隣接した部位の前記第１回動部に設けられるもので第２駆動歯車が軸結合された第２モーターと、前記第２回動部の回動中心に設けられて前記第２駆動歯車と噛合する第２固定歯車と、前記第２固定ブラケットに隣接した部分の前記第２回動部に設けられるもので第３駆動歯車が軸結合された第３モーターと、前記第２固定ブラケットの回動中心に設けられて前記第３駆動歯車と噛合する第３固定歯車と、を備えることを特徴とする請求項２に記載の埋め込み型ディスプレー装置。
【請求項４】
前記装置は、格納部をさらに含み、
前記制御部は、前記駆動制御部により制御される前記各駆動部の変位情報を獲得して前記格納部に格納処理する変位情報処理部をさらに含み、
前記駆動制御部は、駆動命令によって前記格納部に格納された変位情報に基づいて前記各駆動部を制御することを特徴とする請求項１〜３のいずれかに記載の埋め込み型ディスプレー装置。
【請求項５】
前記変位情報格納処理部は、使用者の格納命令によって前記各駆動部の変位情報を前記格納部に格納するように制御することを特徴とする請求項４に記載の埋め込み型ディスプレー装置。
【請求項６】
住宅の室内に位置した壁面の取付溝内に固設され、前面に開口が形成された据え付けケースと；
前記据え付けケース内に配設されるもので、前面に収納部が設けられ、システム全体を制御する制御部を備える本体と；
連結ケーブルにより前記本体に電気的に接続されて画像を表示するディスプレー部と；
前記据え付けケースと前記本体との間に配設され、前記ディスプレー部の画面を水平に調節した状態で前記本体を前記据え付けケースに固設させるための水平調節部材と；
前記ディスプレー部を前記収納部に受納して前記収納部から引き出し可能にして視野角を調節するもので、前記ディスプレー部の後面に固設される第１固定ブラケットと、前記収納部の前面に固設される第２固定ブラケットと、前記第１固定ブラケットにヒンジ結合される第１回動部と、一端が前記第１回動部にヒンジ結合され他端が前記第２固定ブラケットにヒンジ結合されており、前記ディスプレー部が前記収納部内に受納された状態で前記第１回動部を受容する収容溝が形成された第２回動部と、を備えるヒンジ組立体と；
前記ヒンジ組立体のヒンジ結合部を回動させるそれぞれの駆動部と；を含み、
前記制御部は、駆動命令によって前記各駆動部を制御する駆動制御部を含むことを特徴とする埋め込み型ディスプレー装置。
【請求項７】
前記駆動部は、前記第１固定ブラケットに隣接した部位の前記第１回動部に設けられるもので第１駆動歯車が軸結合された第１モーターと、前記第１固定ブラケットの回動中心に設けられるもので前記第１駆動歯車と噛合する第１固定歯車と、前記第２回動部に隣接した部位の前記第１回動部に設けられるもので第２駆動歯車が軸結合された第２モーターと、前記第２回動部の回動中心に設けられて前記第２駆動歯車と噛合する第２固定歯車と、前記第２固定ブラケットに隣接した部分の前記第２回動部に設けられるもので第３駆動歯車が軸結合された第３モーターと、前記第２固定ブラケットの回動中心に設けられて前記第３駆動歯車と噛合する第３固定歯車と、を備えることを特徴とする請求項６に記載の埋め込み型ディスプレー装置。
【請求項８】
前記装置は、格納部をさらに含み、
前記制御部は、前記駆動制御部により制御される前記各駆動部の変位情報を獲得して前記格納部に格納処理する変位情報処理部をさらに含み、
前記駆動制御部は、駆動命令によって前記格納部に格納された変位情報に基づいて前記各駆動部を制御することを特徴とする請求項６または７に記載の埋め込み型ディスプレー装置。
【請求項９】
前記ヒンジ組立体の第１及び第２回動部は、水平方向に回動可能に配設されたことを特徴とする請求項８に記載の埋め込み型ディスプレー装置。
【請求項１０】
前記据え付けケースには、前記水平調節部材との螺合のための螺合孔が形成され、
前記水平調節部材には、前記据え付けケースとの相対的な左右回転により前記螺合孔が移動することによって生成される移動軌跡にそれぞれ相応する形状を有する調節孔が形成されたことを特徴とする請求項８に記載の埋め込み型ディスプレー装置。
【発明の詳細な説明】
【技術分野】
【０００１】
本発明は住宅の壁面などに受納及び引き出し可能な埋め込み型ディスプレー装置に関するものである。
【背景技術】
【０００２】
産業の急速な発展に伴って、現代人は住宅を単純な居住だけのための空間と認識せず、居住者に便利さを提供しようとする技術が開発されて住宅に適用する動きがある。忙しい現代人の日常生活においては、主要な家庭生活の大部分が厨房で行われる点に鑑みて、厨房で食事をする間や主婦が厨房活動をする間にも公衆回線を用いる放送を視聴できるように、厨房の流し台上に位置した上部台などに取付可能なテレビ装置がその一例である。その他の例としては、浴室に取付可能なテレビ装置もある。
【０００３】
従来、このような埋め込み型ディスプレー装置は壁面に埋め込まれたディスプレー部の受納及び引き出しを自由にするだけでなく、使用者の視野角を考慮して望む方向から視聴できるように視野角の調節を可能にする。しかし、そのためには使用者が直接受納されているディスプレー部を手前に引き出して望む方向に視野角の調節しなければならず、視聴後にも直接ディスプレー部を壁面に受納するべきなどの不便さがある。
【０００４】
したがって、このように受納や引き出し及び、視野角の調節のためにディスプレー部を直接操作する必要なく自動化させることができる技術的方案が要求されている。
【発明の開示】
【発明が解決しようとする課題】
【０００５】
このような問題点に鑑みてなされた本発明は、ディスプレー部を壁面に受納及び引き出し、そして視野角の調節のための回動を自動化した埋め込み型ディスプレー装置を提供することにその目的がある。
【０００６】
また、本発明の他の目的はディスプレー部の引き出し状態及び視野角の調節状態を記憶し、その位置に自動駆動が可能なように構成した埋め込み型ディスプレー装置を提供することにある。
【課題を解決するための手段】
【０００７】
前述した目的を達成するための本発明の一態様に係る埋め込み型ディスプレー装置は、埋め込みを可能にする収納部と；前記収納部に受納及び引き出されるディスプレー部と；前記収納部とディスプレー部に固設されて前記ディスプレー部の受納及び引き出し、視野角の調節を可能にする複数のヒンジ部を有するヒンジ組立体と；前記複数のヒンジ部を回動させるそれぞれの駆動部と；駆動命令によって前記各駆動部を制御する駆動制御部を含む制御部と；を含むことを特徴とする。
【０００８】
ここで、前記ヒンジ組立体は、前記ディスプレー部の後面に固設される第１固定ブラケットと、前記収納部の前面に固設される第２固定ブラケットと、前記第１固定ブラケットにヒンジ結合される第１回動部と、一端が前記第１回動部にヒンジ結合され他端が前記第２固定ブラケットにヒンジ結合されており、前記ディスプレー部が前記収納部内に受納された状態で前記第１回動部を受容する収容溝が形成された第２回動部と、を備えることが好ましい。
【０００９】
また、前記駆動部は、前記第１固定ブラケットに隣接した部位の前記第１回動部に設けられるもので第１駆動歯車が軸結合された第１モーターと、前記第１固定ブラケットの回動中心に設けられるもので前記第１駆動歯車と噛合する第１固定歯車と、前記第２回動部に隣接した部位の前記第１回動部に設けられるもので第２駆動歯車が軸結合された第２モーターと、前記第２回動部の回動中心に設けられて前記第２駆動歯車と噛合する第２固定歯車と、前記第２固定ブラケットに隣接した部分の前記第２回動部に設けられるもので第３駆動歯車が軸結合された第３モーターと、前記第２固定ブラケットの回動中心に設けられて前記第３駆動歯車と噛合する第３固定歯車と、を備えることが好ましい。
【００１０】
また、前記装置は、格納部をさらに含み、前記制御部は、前記駆動制御部により制御される前記各駆動部の変位情報を獲得して前記格納部に格納処理する変位情報処理部をさらに含み、前記駆動制御部は、駆動命令によって前記格納部に格納された変位情報に基づいて前記各駆動部を制御することが好ましい。
【００１１】
さらに、前記変位情報格納処理部は、使用者の格納命令によって前記各駆動部の変位情報を前記格納部に格納するように制御することが好ましい。
【００１２】
本発明の他の態様に係る埋め込み型ディスプレー装置は、住宅の室内に位置した壁面の取付溝内に固設され、前面に開口が形成された据え付けケースと；前記据え付けケース内に配設されるもので、前面に収納部が設けられ、システム全体を制御する制御部を備える本体と；連結ケーブルにより前記本体に電気的に接続されて画像を表示するディスプレー部と；前記据え付けケースと前記本体との間に配設され、前記ディスプレー部の画面を水平に調節した状態で前記本体を前記据え付けケースに固設させるための水平調節部材と；前記ディスプレー部を前記収納部に受納して前記収納部から引き出し可能にして視野角を調節するもので、前記ディスプレー部の後面に固設される第１固定ブラケットと、前記収納部の前面に固設される第２固定ブラケットと、前記第１固定ブラケットにヒンジ結合される第１回動部と、一端が前記第１回動部にヒンジ結合され他端が前記第２固定ブラケットにヒンジ結合されており、前記ディスプレー部が前記収納部内に受納された状態で前記第１回動部を受容する収容溝が形成された第２回動部と、を備えるヒンジ組立体と；前記ヒンジ組立体のヒンジ結合部を回動させるそれぞれの駆動部と；を含み、前記制御部は、駆動命令によって前記各駆動部を制御する駆動制御部を含むことを特徴とする。
【発明の効果】
【００１３】
本発明に係る埋め込み型ディスプレー装置によれば、ディスプレー部の収納や引き出し、及び視野角の調節を可能にする複数のヒンジ部を駆動部により自動で駆動させるので、使用者の便利性を高めることができる。
【００１４】
また、本発明に係る埋め込み型ディスプレー装置によれば、ディスプレー部の引き出し状態及び視野角の調節状態に対する各駆動部の変位情報を記憶しておき、記憶していた変位情報に基づいて駆動部を駆動させるので、使用者の便利性をより一層高めることができる。すなわち、使用者に取って自分の位置に合う最適のディスプレー部の引き出し程度や視野角を毎度調節する必要がないので、使用者の便利性をより一層高めることができる。
【発明を実施するための最良の形態】
【００１５】
前述した本発明の態様、そして追加的な他の態様は、添付図面に基づいて説明する以下の好ましい実施形態を通じてより一層明白になるであろう。以下、当業者が本発明を容易に理解して再現できるように、本発明の好ましい実施形態について詳細に説明する。
【００１６】
図１は本発明の一実施形態に係る埋め込み型ディスプレー装置を示す分離斜視図であり、図２は図１の埋め込み型ディスプレー装置が組み立てられた状態を示す部分断面図である。図１及び図２を参照すると、本発明の一実施形態に係る埋め込み型ディスプレー装置は据え付けケース１１０と、この据え付けケース１１０内に受容される収納部１３１を備えた本体１３０と、ヒンジ組立体１５０により本体１３０の収納部１３１に結合されるディスプレー部１７０を備える。そして、本体１３０と据え付けケース１１０との間には、これらの要素は結合する水平調節部材１２０をさらに備えることが好ましい。
【００１７】
据え付けケース１１０には本体１３０を受容できるように、前面に開口１１１が形成され、内部には受納空間が設けられる。据え付けケース１１０は住宅の室内の壁面１０、例えば厨房の壁面や浴室の壁面に固着される。このために、壁面１０には据え付けケース１１０の大きさに相応する大きさを有する取付溝１１が形成され、この取付溝１１内には据え付けケース１１０が挿設される。ここで、取付溝１１内への据え付けケース１１０の固着は、セメントなどで行うことができる。また、このような固着力をより一層高めるためには、据え付けケース１１０の後面に格子状の溝(不図示)を形成できる。一方、据え付けケース１１０の縁部には本体１３０の縁部を支持できるように、支持フレーム１１５が固設される。
【００１８】
本体１３０にはシステム全体を制御する制御部２００が内蔵され、前面にはディスプレー部１７０を十分に受納できる程度の大きさを有する収納部１３１が形成される。ディスプレー部１７０には前面に画像を表示するパネル１７１が配設される。また、一例においては、パネル１７１の両側にスピーカー１７２が配設される。このようなディスプレー部１７０は連結ケーブル１８０により本体１３０に電気的に接続される。したがって、連結ケーブル１８０を介して本体１３０から伝えられる画像信号をディスプレー部１７０の画面に表示すると共に、オーディオ信号をスピーカーから出力することができる。
【００１９】
一方、ディスプレー部１７０は使用者が操作するためのキー入力手段をさらに備えることができる。例えば、図１に示す構成とは異なり、本体１３０が埋め込み型ディスプレー装置内部に位置して少なくともその一部が外部に露出しない場合、ディスプレー部１７０はキー入力手段をさらに備えることができる。また、リモコン操作が可能な場合は、リモコン信号を受信できる赤外線受信手段をディスプレー部１７０にさらに設けることもできる。
【００２０】
ヒンジ組立体１５０はディスプレー部１７０を本体１３０に機構的に取り付けて、ディスプレー部１７０が本体１３０の収納部１３１に受納及び引き出しを可能にすることによって、視野角の調節が可能になる。この実施形態において、ヒンジ組立体１５０はディスプレー部１７０の後面に固設される第１固定ブラケット１５１と、収納部１３１の前面に固設される第２固定ブラケット１５２と、第１固定ブラケット１５１にヒンジ結合される第１回動部１５３と、一端が第１回動部１５３にヒンジ結合され他端が第２固定ブラケット１５２にヒンジ結合されており、ディスプレー部１７０が収納部１３１内に受納された状態で第１回動部１５３を受容できるように形成された収容溝１５５を有する第２回動部１５４とを備える。
【００２１】
ディスプレー部１７０の後面にはヒンジ組立体１５０の第１固定ブラケット１５１と螺合できるように螺合孔が形成され、第１固定ブラケット１５１が十分に挿入される程度の大きさを有する第１結合部１７５が凹設される。そして、本体１３０の収納部１３１内にはヒンジ組立体１５０の第２固定ブラケット１５２と螺合できるように螺合孔が形成され、第２固定ブラケット１５２が十分に挿入される程度の大きさを有する第２結合部１３２が凹設される。ここで、第２固定ブラケット１５２に締結されるネジは第２結合部１３２に締結されるだけでなく、少なくとも一つのネジは第２結合部１３２を介して水平調節部材１２０に締結されることが好ましい。これによって、ディスプレー部１７０の自重により収納部１３１から引き出された状態で、ディスプレー部１７０が垂れる現象を防止できる。また、一例によって、連結ケーブルはディスプレー部１７０の第１結合部１７５と本体１３０の第２結合部１３２をそれぞれ貫設する。
【００２２】
このようにヒンジ組立体１５０を介して本体１３０に回動可能に結合されたディスプレー部１７０は、据え付けケース１１０と間接的に結合される。一方、据え付けケース１１０が壁面１０内に設けられる過程で、正確に水平を維持しながら固定しなければならない。もし水平が維持されないと、ディスプレー部１７０も正確に水平を維持できない。その結果、ディスプレー部１７０の画面が使用者に傾いた状態で示される恐れがある。このようなディスプレー部１７０の傾いた状態を調節するために、本体１３０と据え付けケース１１０との間には水平調節部材１２０を配設する。したがって、この水平調節部材１２０によりディスプレー部１７０を水平に調節して取り付けることができる。
【００２３】
これについては、図３を参照してより詳細に説明する。水平調節部材１２０は板状になっており、その平面には据え付けケース１１０の螺合孔１１２と一緒にネジで締結される複数の調節孔１２１が形成される。一方、水平調節部材１２０と据え付けケース１１０とが相対的に左右回転すると、螺合孔１１２が移動することによって移動軌跡が生成される。調節孔１２１は、この時生成される移動軌跡に相応する形状を有することが好ましい。すなわち、調節孔１２１は水平調節部材１２０の回転中心に位置した場合を除いて、水平調節部材１２０を据え付けケース１１０に対して所定角度で左右回転させても、螺合孔１１２が調節孔１２１内に引き続き位置することによって、螺合孔１１２と調節孔１２１の両方にネジを締結できる形状になっている。ここで、調節孔１２１は所要の余裕を有してディスプレー部１７０の画面を水平に調節できる程度の軌跡を有することが好ましい。このような調節孔１２１が水平調節部材１２０に形成されていて、壁面１０内に設ける過程で据え付けケース１１０が正確に水平を維持した状態で固着されない場合にも、水平調節部材１２０の位置が適切に調節されて据え付けケース１１０に固設されるようになる。これによって、ディスプレー部１７０の画面を水平に合せることができる。
【００２４】
ディスプレー部１７０は、図２に示すように収納部１３１に受納された状態で図４及び図５に示すように収納部１３１から引き出される一方、画面角度の調節により使用者の視野角を調節することができる。このために、ヒンジ組立体１５０は複数のヒンジ部を備える。一実施形態によって、ヒンジ組立体１５０は第１固定ブラケット１５１にヒンジ結合される第１回動部１５３と、一端が第１回動部１５３にヒンジ結合され他端が第２固定ブラケット１５２にヒンジ結合される第２回動部１５４とを備える。ここで、第１回動部１５３と第２回動部１５４とが折り曲がった状態では、図２に示すように第１回動部１５３が第２回動部１５４内に位置する場合、本体１３０の収納部１３１大きさを最小化できる。このために、第２回動部１５４には第１回動部１５３を受け入れることができる収容溝１５５を形成することが好ましい。
【００２５】
図５に示すように、第１固定ブラケット１５１はヒンジを介して第１回動部１５３に回動可能に結合されるので、第１固定ブラケット１５１に固定されたディスプレー部１７０は第１回動部１５３に対して左右方向に所定の角度(好ましくは、最大９０度)に回動できる。これによって、使用者はディスプレー部１７０を回動させてある位置でも便利に画面を見ることができるので、常に最適の視野角を確保することができる。
【００２６】
そして、図４に示すように、第１回動部１５３はヒンジを介して第２回動部１５４に回動可能に結合されるので、第１回動部１５３にヒンジ結合された第１固定ブラケット１５１は第２回動部１５４に対して所定の角度(好ましくは、１８０度)に展開する位置まで回動できる。また、第２回動部１５４はヒンジを介して第２固定ブラケット１５２に回動可能に結合される。
【００２７】
したがって、第１固定ブラケット１５１に固定されたディスプレー部１７０は第１回動部１５３と第２回動部１５４との間のヒンジ結合及び、第２回動部１５４と第２固定ブラケット１５２との間のヒンジ結合によって、図２に示すように本体１３０の収納部１３１に受納された位置(この時、第１回動部１５３と第２回動部１５４とは折り曲がった状態)から図５に示すように本体１３０の収納部１３１から最大で離間した位置(この時、第１回動部１５３と第２回動部１５４とは１８０度に展開した状態)まで回動できる。これは、第１固定ブラケット１５１と第１回動部１５３との間、第１回動部１５３と第２回動部１５４との間、及び第２回動部１５４と第２固定ブラケット１５２との間をヒンジで結合した構造によって、第１及び第２回動部１５３、１５４が水平方向に回動できるため、可能になる。これによって、ディスプレー部１７０は収納部１３１から引き出された状態で別の手段がなくても第１及び第２回動部１５３、１５４によって十分に支持されて展開状態を維持できる。
【００２８】
次に、このようなヒンジ組立体１５０のヒンジ結合構造について、図６を参照して詳細に説明する。図６に示すように、第１固定ブラケット１５１には第１回動部１５３の方に突出し両側に互いに離間した第１軸受部１５１aが形成される。これに対応して第１回動部１５３の第１ベース部１５３aの一端(すなわち、第１固定ブラケット１５１に隣接した端部)には第１軸受部１５１aと同心に配設する第２軸受部１５３bが形成される。ここで、これらの第１軸受部１５１aと第２軸受部１５３bには第１ヒンジ軸１５６aが嵌合される。すなわち、同心に位置した第１軸受部１５１aと第２軸受部１５３bの両方に第１ヒンジ軸１５６aを嵌合し、この状態で第１ヒンジ軸１５６aの両端にそれぞれ形成されたネジ部にウォッシャー及びナットを締結することによって、第１固定ブラケット１５１と第１回動部１５３とを回動可能にヒンジ結合する。
【００２９】
そして、第１回動部１５３の第１ベース部１５３aの他端(すなわち、第２回動部１５４に隣接した端部)には第３軸受部１５３cが形成される。これに対応して、第２回動部１５４の第２ベース部１５４aの一端(すなわち、第１回動部１５３に隣接した端部)には第３軸受部１５３cの上下両側に同心に配設する第４軸受部１５４bが形成される。ここで、第３軸受部１５３cと第４軸受部１５４bは第１回動部１５３が第２回動部１５４から１８０度の角度に展開した状態で第２回動部１５４へ折り曲がる方向と反対方向に反り返るのを阻止する役割をする。これらの第３軸受部１５３cと第４軸受部１５４bには第２ヒンジ軸１５６bが嵌合される。すなわち、同心に位置した第３軸受部１５３cと第４軸受部１５４bの両方に第２ヒンジ軸１５６bを嵌合し、この状態で第２ヒンジ軸１５６bの両端にそれぞれ形成されたネジ部にウォッシャー及びナットを締結することによって、第１回動部１５３と第２回動部１５４とを回動可能にヒンジ結合する。
【００３０】
また、第２回動部１５４の第２ベース部１５４aの他端(すなわち、第２固定ブラケット１５２に隣接した端部)には第５軸受部１５４cが形成される。これに対応して第２固定ブラケット１５２の一端(すなわち、２回動部１５４に隣接した端部)には第５軸受部１５４cの上下両側に同心に配設する第６軸受部１５２aが形成される。ここで、第５軸受部１５４cと第６軸受部１５２aは第２回動部１５４が本体１３０に対して９０度の角度に展開した状態で折り曲がる方向と反対方向に反り返るのを阻止する役割をする。これらの第５軸受部１５４cと第６軸受部１５２aには第３ヒンジ軸１５６cが嵌合される。すなわち、同心に位置した第５軸受部１５４cと第６軸受部１５２a両方に第３ヒンジ軸１５６cを嵌合し、この状態で第３ヒンジ軸１５６cの両端にそれぞれ形成されたネジ部にウォッシャー及びナットを締結することによって、第２回動部１５４と第２固定ブラケット１５２とを回動可能にヒンジ結合する。
【００３１】
このようなヒンジ組立体１５０において、第１固定ブラケット１５１にはディスプレー部１７０の第１結合部１７５から引き出された連結ケーブル１８０部位が通過できるようにスリット１５７aが形成され、第２固定ブラケット１５２には本体１３０の第２結合部１３２から引き出された連結ケーブル１８０部位が通過できるようにスリット１５７bが形成される。このようにスリット１５７a、１５７bを通過する連結ケーブル１８０は、第１及び第２回動部１５３、１５４が折り曲がる過程で干渉により損傷しないように、第１及び第２回動部１５３、１５４のヒンジ結合される部位の内部をそれぞれ通過して第１及び第２回動部１５３、１５４に沿って配設することが好ましい。それと共に、第１及び第２回動部１５３、１５４のヒンジ結合される部位、すなわち第２軸受部１５３b、第３軸受部１５３c、及び第５軸受部１５４cには中央に切開溝１５７をそれぞれ形成することが好ましい。
【００３２】
ここで、切開溝１５７は連結ケーブル１８０の幅より大きな幅を有する。このような切開溝１５７は連結ケーブル１８０を第１ないし第３ヒンジ軸１５６a、１５６b、１５６cから離間して自由に移動できるようにする。これによって、第１及び第２回動部１５３、１５４が回動する過程で第１ないし第３ヒンジ軸１５６a、１５６b、１５６cとの干渉による連結ケーブル１８０の損傷が防止できる。また、第１回動部１５３の内部には連結ケーブル１８０が通過可能な通路を形成できる。このような通路は第１ベース部１５３aとの間に連結ケーブル１８０が通過できる空間を提供するように第１ベース部１５３aにカバー部１５３dを結合して形成した構造である。第１回動部１５３と同様に、図示しなかったが、第２回動部１５４の内部にも連結ケーブル１８０が通過可能な通路を形成できる。
【００３３】
駆動部は図７に示すように、複数のモーター及び歯車から構成されて、ヒンジ組立体１５０の複数のヒンジ部をモーターの駆動力により回動させることができる。この実施形態において、駆動部は第１固定ブラケット１５１に隣接した部位の第１回動部１５３に設けられるもので第１駆動歯車１６２が軸結合された第１モーター１６１と、第１固定ブラケット１５１の回動中心に設けられて第１駆動歯車１６２と噛合する第１固定歯車１６３と、第２回動部１５４に隣接した部位の第１回動部１５３に設けられるもので第２駆動歯車１６５が軸結合された第２モーター１６４と、第２回動部１５４の回動中心に設けられて第２駆動歯車１６５と噛合する第２固定歯車１６６と、第２固定ブラケット１５２に隣接した部位の第２回動部１５４に設けられるもので第３駆動歯車１６８が軸結合された第３モーター１６７と、第２固定ブラケット１５２の回動中心に設けられて第３駆動歯車１６８と噛合する第３固定歯車１６９とを備える。
【００３４】
第１固定ブラケット１５１と第１回動部１５３との間には第１固定ブラケット１５１に隣接した部位の第１回動部１５３に固設された第１モーター１６１と、第１モーター１６１の回転軸に結合された第１駆動歯車１６２及び第１駆動歯車１６２と噛合して第１固定ブラケット１５１の回動中心に固設された第１固定歯車１６３が設けられる。これによって、第１固定歯車１６３と噛合した第１駆動歯車１６２が第１モーター１６１により回転すると、第１固定歯車１６３が第１固定ブラケット１５１の回動中心に固設されているので、第１固定ブラケット１５１に対して第１回動部１５３が第１駆動歯車１６２の回転方向に沿って回転できるようになる。
【００３５】
そして、第１回動部１５３と第２回動部１５４との間には第２回動部１５４に隣接した部位の第１回動部１５３に固設された第２モーター１６４と、第２モーター１６４の回転軸に結合された第２駆動歯車１６５及び第２駆動歯車１６５と噛合して第２回動部１５４の回動中心に固設された第２固定歯車１６６とを備える。これによって、第２固定歯車１６６と噛合した第２駆動歯車１６５が第２モーター１６４により回転すると、第２固定歯車１６６が第２回動部１５４の回動中心に固設されているので、第２回動部１５４に対して第１回動部１５３が第２駆動歯車１６５の回転方向に沿って回転できるようになる。
【００３６】
また、第２回動部１５４と第２固定ブラケット１５２との間には第２固定ブラケット１５２に隣接した部位の第２回動部１５４に固設された第３モーター１６７と、第３モーター１６７の回転軸に結合された第３駆動歯車１６８及び第３駆動歯車１６８と噛合して第２固定ブラケット１５２の回動中心に固設された第３固定歯車１６９とを備える。これによって、第３固定歯車１６９と噛合した第３駆動歯車１６８が第３モーター１６７により回転すると、第３固定歯車１６９が第２固定ブラケット１５２の回動中心に固設されているので、第２固定ブラケット１５２に対して第２回動部１５４が第３駆動歯車１６８の回転方向に沿って回転できるようになる。ここで、第１ないし第３モーター１６７は連結ケーブル１８０を通じて本体１３０と電気的に接続されて、後述する制御部２００から伝えられる制御信号により駆動される。
【００３７】
次に、駆動部の設置構造について、図８及び図９を参照して詳細に説明する。ここで、図８及び図９は第２回動部１５４と第２固定ブラケットとの間に設置された駆動部を抜粋して示すものである。
【００３８】
図８及び図９に示すように、第２固定ブラケット１５２に隣接した部位の第２回動部１５４にモーター装着用溝１５４eが形成され、モーター装着用溝１５４e内には第３モーター１６７の胴体が挿設される。ここで、第３モーター１６７は通常の接着部材などによりモーター装着用溝１５４e内に固着できる。このような第３モーター１６７の回転軸には第３駆動歯車１６８が同軸に結合される。これに対応して第２固定ブラケット１５２の回動中心には第３固定歯車用溝１５２eこの形成され、第３固定歯車用溝１５２e内には第３固定歯車１６９の固定軸１６９aが嵌合される。ここで、第３固定歯車１６９及び第３駆動歯車１６８の外周には互いに噛合するように複数の歯がそれぞれ形成される。このような構造は第１固定ブラケット１５１と第１回動部１５３との間、及び第１回動部１５３と第２回動部１５４と間に設けられる駆動部にもそれぞれ同様に適用できる。
【００３９】
一方、前述した連結ケーブル１８０が第１及び第２固定ブラケット１３１、１３２のスリット１３７a、１３７bをそれぞれ通過して設けられることによって、スリット１３７a、１３７bを通じて湿気や水分がディスプレー部１７０及び本体１３０内に侵入し、内部回路が破損する恐れがある。特に、埋め込み型ディスプレー装置を湿気や水分が多い厨房や浴室に取り付ける場合、破損の可能性がある。これを防止するために、第１固定ブラケット１３１のディスプレー部１７０に結合される部位に第１防水パッキング１５９を設けると共に、第２固定ブラケット１５２の本体１３０に結合される部位にも第２防水パッキング１６０を設ける。ここで、第１及び第２防水パッキング１５９、１６０には連結ケーブル１８０が通過できるように穴１５９a、１６０aがそれぞれ形成される。第１及び第２防水パッキング１５９、１６０は弾性を有するゴム素材でそれぞれ形成することが好ましい。
【００４０】
続いて、本体１３０と第２固定ブラケット１５２との間の防水構造について、図１０を参照して詳細に説明する。図１０に示すように、本体１３０の第２結合部１３２と第２固定ブラケット１５２との間に第２防水パッキング１６０が位置する一方、本体１３０の第２結合部１３２から引き出された連結ケーブル１８０が第２防水パッキング１６０の穴１６０aを経て第２固定ブラケット１３２のスリット１３７bを通過するように配設する。ここで、第２結合部１３２と第２固定ブラケット１５２との間の対向面には第２防水パッキング１６０を挿入できるように、凹溝１６０b、１６０cがそれぞれ形成される。これらの凹溝１６０b、１６０cは圧着した第２防水パッキング１６０の流動を阻止できる構造を有することが好ましい。このように第２結合部１３２と第２固定ブラケット１５２との間に第２防水パッキング１６０が介在した状態で第２結合部１３２と第２固定ブラケット１５２との間を螺合すると、第２防水パッキング１６０が圧着された状態になる。これによって、第２固定ブラケット１５２のスリット１５７bを通じて湿気や水分が侵入することを防止できる。このような本体１３０と第２固定ブラケット１５２との間の防水構造は、ディスプレー部１７０と第１固定ブラケット１５１との間の防水構造にも同様に適用できる。
【００４１】
図１１は本発明に係る埋め込み型ディスプレー装置における動作の制御を説明するためのブロック図である。入力部４００は通常的な周知のキー入力手段として、ディスプレー部１７０の前面に備えることができ、本体１３０が外部に露出した場合は本体１３０自体に備えることができる。一実施形態において、入力部４００はディスプレー部１７０の受納及び引き出し、そして視野角の調節を制御できる複数のキー（Ｍ１キー、Ｍ２キー、Ｍ３キー）を備える。したがって、使用者はそれぞれのキー（Ｍ１キー、Ｍ２キー、Ｍ３キー）の左右キーの操作を通じてディスプレー部１７０の受納や引き出し、及び視野角を調節できる。
【００４２】
そして、システム全体を制御するための制御部２００は、マイクロプロセッサーで構成できる。この制御部２００は第１モーター(Ｍ１)１６１、第２モーター(Ｍ２)１６４、及び第３モーター(Ｍ３)１６７の駆動を制御する駆動制御部２１０を含む。一例によって、駆動制御部２１０は入力部４００からの駆動命令、すなわち使用者によるＭ１キー、Ｍ２キー、Ｍ３キーの操作信号に基づいて連結ケーブル１８０を通じて第１モーター(Ｍ１)１６１、第２モーター(Ｍ２)１６４、第３モーター(Ｍ３)１６７を駆動させるための制御信号を出力する。これらのモーター(Ｍ１、Ｍ２、Ｍ３)１６１、１６４、１６７は駆動制御部２１０から伝えられる制御信号により駆動される。このモーターの駆動により前述したように歯車が動作するようになり、これによって、各ヒンジ部の回動も可能になる。したがって、使用者は図２に示すようにディスプレー部１７０が受納された状態でＭ１キー及びＭ２キーを操作して、図４及び図５に示すようにディスプレー部１７０を引き出すことができ、Ｍ３キーを操作して図５に示すようにディスプレー部１７０を左右に回転させて視野角を調節できる。
【００４３】
このように本発明に係る埋め込み型ディスプレー装置においては、駆動部によりディスプレー部の収納や引き出し、及び視野角の調節を可能にする複数のヒンジ部を自動で駆動することができるので、使用者の便利性を高めることができる。
【００４４】
本発明の追加的な態様による埋め込み型ディスプレー装置は、変位情報を格納する格納部３００をさらに含み、制御部２００はこの格納部３００に変位情報を格納処理する変位情報処理部２２０をさらに含む。変位情報処理部２２０は駆動制御部２１０により作動するモーター(Ｍ１、Ｍ２、Ｍ３)１６１、１６４、１６７の変位情報を格納部３００に格納処理する。
【００４５】
一例によって、複数のモーター(Ｍ１、Ｍ２、Ｍ３)１６１、１６４、１６７はステップモーターで構成できる。周知のようにステップモーターは外部のＤＣ電圧または電流をモーターの各相端子にスイッチング方式で入力することによって、一定の角度に回転する構成のモーターである。したがって、これは一種のデジタル制御方式の機器であり、一般的なアナログ電源よりデジタルパルス形式の制御に適している。すなわち、デジタルパルス信号当り１ステップ、約１°に該当する回転角だけ正確な運動を行い、入力パルスの数と単位時間当りパルス入力速度に正比例して連続に運動を行う。
【００４６】
このようにステップモーターの総回転角は入力パルスの総数に比例するので、変位情報処理部２２０は駆動制御部２１０により制御される各モーター(Ｍ１、Ｍ２、Ｍ３)１６１、１６４、１６７の変位情報を獲得する。一例によって、この変位情報は各モーターに制御信号で伝えられたパルスの総数になるか、または各モーターに伝えられたパルスに比例する回転角になることができる。変位情報処理部２２０は駆動制御部２１０からの変位情報を獲得して格納部３００に格納処理する。もう一つの例においては、エンコーダーを利用してモーターの回転角を検出でき、変位情報処理部２２０はエンコーダーにより検出した回転角情報を獲得して格納部３００に格納処理できる。エンコーダーを利用してモーターの回転角を検出することは、既に公知された技術であるため、それについての詳細な説明は省略する。
【００４７】
駆動制御部２１０は駆動命令によって格納部３００に格納した変位情報に基づいて各モーター(Ｍ１、Ｍ２、Ｍ３)１６１、１６４、１６７に該当するパルス信号を出力する。これによって、収納部１３１に受納されているディスプレー部１７０が自動で引き出されて視野角の確保のために左右に自動調節できるようになる。
【００４８】
次に、これに関する実際の使用例を説明する。まず、使用者がＭ１、Ｍ２キーを操作して受納されたディスプレー部１７０を引き出し、Ｍ３キーを操作して自分の位置に合わせて視野角を調節する。所要の位置と方向にディスプレー部１７０が位置すると、使用者は入力部４００の「設定」キーを押す。そうすると、変位情報処理部２２０はディスプレー部１７０の現在設定状態を記憶させるために、駆動制御部２１０から各モーター(Ｍ１、Ｍ２、Ｍ３)１６１、１６４、１６７の変位情報を獲得する。そして、獲得した各モーター(Ｍ１、Ｍ２、Ｍ３)１６１、１６４、１６７の変位情報を格納部３００に格納処理する。以後使用者は、Ｍ１キー、Ｍ２キー、Ｍ３キーを直接操作して収納部１３１からディスプレー部１７０を引き出して所要の位置と方向に調節する必要なく、「移動」キーだけを押してもよい。「移動」キー信号の入力により、駆動制御部２１０は格納部３００に格納した変位情報に基づいて各モーター(Ｍ１、Ｍ２、Ｍ３)１６１、１６４、１６７に該当パルス信号を出力する。これによって、使用者が既に設定したディスプレー部１７０の引き出し程度や視野角を自動で調節できる。
【００４９】
また図示しなかったが、入力部４００は引き出されたディスプレー部１７０を自動で受納する「終了」キーをさらに備えることができる。例えば、現在引き出されたディスプレー部１７０が使用者のＭ１キー、Ｍ２キー、Ｍ３キー操作により引き出された場合に、変位情報処理部２２０は駆動制御部２１０から各モーター(Ｍ１、Ｍ２、Ｍ３)１６１、１６４、１６７の変位情報を臨時に格納部３００に格納処理する。そして、以後使用者が「終了」キーを押すと、駆動制御部２１０は格納部３００に臨時格納した変位情報に基づいて、各モーター(Ｍ１、Ｍ２、Ｍ３)１６１、１６４、１６７に該当パルス信号を出力する。これによって、ディスプレー部１７０は自動で収納部１３１に受納される。
【００５０】
もし、現在引き出されたディスプレー部１７０が使用者の「移動」キー操作により引き出された場合は、変位情報を既に知っているので別途に変位情報を格納する必要がない。この場合、使用者が「終了」キーを押すと、駆動制御部２１０は格納部３００に格納した変位情報に基づいて、各モーター(Ｍ１、Ｍ２、Ｍ３)１６１、１６４、１６７に逆方向に該当するパルス信号を出力する。これによって、ディスプレー部１７０は自動で収納部１３１に受納される。
【００５１】
一方、ディスプレー部１７０と本体１３０を物理的に分離して別途に構成した例について説明したが、本発明をこれに限定するものではない。たとえば、本体１３０の制御部２００をディスプレー部１７０と一体に構成することができる。この時、本体１３０は単に収納部１３１としての役割をする。
【産業上の利用可能性】
【００５２】
以上で説明したように、本発明に係る埋め込み型ディスプレー装置によれば、駆動部によって複数のヒンジ部を駆動することによって、ディスプレー部の収納や引き出し、及び視野角の調節を自動で行うので、使用者の便利性を高めることができる。
【００５３】
また、本発明に係る埋め込み型ディスプレー装置はディスプレー部の引き出し状態や視野角の調節状態に対する各駆動部の変位情報を記憶しておき、記憶していた変位情報に基づいて駆動部を駆動することができるので、使用者の便利性をより一層高めることができる。すなわち、使用者に取っては自分の位置に合わせて最適のディスプレー部の引き出し程度や視野角を毎度調節する必要がないので、使用者の便利性をより一層高めることができる。従って、本発明の産業利用性はきわめて高いものといえる。
【００５４】
一方、本明細書内で本発明をいくつかの好ましい実施形態によって記述したが、当業者ならば、添付の特許請求範囲に開示す本発明の範疇及び思想から外れずに、多くの変形及び修正がなされ得ることがわかるはずである。
【図面の簡単な説明】
【００５５】
【図１】本発明の一実施形態に係る埋め込み型ディスプレー装置を示す分離斜視図である。
【図２】図１の埋め込み型ディスプレー装置が組み立てられた状態を示す横断面図である。
【図３】図２に示す据え付けケースへの水平調節部材の結合過程を説明するための正面図である。
【図４】図２に示すディスプレー部の引き出し過程を示す部分横断面図である。
【図５】引き出した図２のディスプレー部の左右回動状態を示す部分横断面図である。
【図６】図１に示すヒンジ組立体を示す分離斜視図である。
【図７】図６のヒンジ組立体に備わった駆動ユニットを示す平面図である。
【図８】図７の駆動ユニットを示す分離斜視図である。
【図９】図７の駆動ユニットを示す結合斜視図である。
【図１０】図６に示す本体と第２固定ブラケットとの間の防水構造を示す部分斜視図である。
【図１１】本発明に係る埋め込み型ディスプレー装置の動作制御の説明のためのブロック図である。
【符号の説明】
【００５６】
１１０  据え付けケース
１２０  水平調節部材
１３０  本体
１３１  収納部
１５０  ヒンジ組立体
１６１  第１モーター
１６４  第２モーター
１６７  第３モーター
１７０  ディスプレー部
２００  制御部
２１０  駆動制御部
２２０  変位情報処理部
３００  格納部
４００  入力部
【図１】
2007202131.tif 000003
【図２】
2007202131.tif 000004
【図３】
2007202131.tif 000005
【図４】
2007202131.tif 000006
【図５】
2007202131.tif 000007
【図６】
2007202131.tif 000008
【図７】
2007202131.tif 000009
【図８】
2007202131.tif 000010
【図９】
2007202131.tif 000011
【図１０】
2007202131.tif 000012
【図１１】
2007202131.tif 000013